(57)【特許請求の範囲】
【請求項１】
ファクシミリ装置が終端装置を介してネットワークに接続されたネットワークシステムにおけるファクシミリ通信方法において、受信側の前記終端装置は、送信側ファクシミリ装置の発信呼が発信元情報非通知である場合に、前記送信側ファクシミリ装置から送られるＴＳＩを検出し、検出された前記ＴＳＩに予め定められた処理を行うこと特徴とするファクシミリ通信方法。
【請求項２】
前記予め定められた処理が、予め決められたデータでマスクし、該マスクされたＴＳＩを受信側のファクシミリ装置に送信すること特徴とする請求項１記載のファクシミリ通信方法。
【請求項３】
前記予め定められた処理が、前記ＴＳＩを受信側のファクシミリ装置に送信しないことを特徴とする請求項１記載のファクシミリ通信方法。
【請求項４】
前記ネットワークがＳＩＰ網であり、前記終端装置がターミナルアダプタであることを特徴とする請求項１記載のファクシミリ通信方法。
【請求項５】
前記ネットワークが公衆網であり、前記終端装置が交換機であることを特徴とする請求項１記載のファクシミリ通信方法。
【請求項６】
送信側及び受信側のファクシミリ装置が終端装置を介してネットワークに接続されたネットワークシステムにおいて、受信側の前記終端装置は、送信側ファクシミリ装置の発信呼が発信元情報非通知である場合に、前記送信側ファクシミリ装置から送られるＴＳＩを検出し、前記ＴＳＩに予め定められた処理を行うＴＳＩ処理手段を含んで構成されることを特徴とするネットワークシステム。
【請求項７】
前記予め定められた処理が、予め決められたデータでマスクし、該マスクされたＴＳＩを前記受信側のファクシミリ装置に送信すること特徴とする請求項６記載のネットワークシステム。
【請求項８】
前記予め定められた処理が、前記ＴＳＩを受信側のファクシミリ装置に送信しないことを特徴とする請求項６記載のネットワークシステム。
【請求項９】
前記ＴＳＩ処理手段が、送信側ファクシミリ装置の発信呼が発信元情報非通知である場合にのみ送信側ファクシミリ装置から送られる信号からＴＳＩを検出し前記ＴＳＩに予め定められた処理を行い処理後の前記ＴＳＩを出力し前記ＴＳＩ以外は前記送信側ファクシミリ装置から送られる前記信号を出力するＴＳＩ監視部と、前記ＴＳＩ監視部からの出力信号を前記受信側のファクシミリ装置に送信する通信制御手段を含んで構成されることを特徴とする請求項６記載のネットワークシステム。
【請求項１０】
前記ネットワークがＳＩＰ網であり、前記終端装置がターミナルアダプタであることを特徴とする請求項６記載のネットワークシステム。
【請求項１１】
前記ネットワークが公衆網であり、前記終端装置が交換機であることを特徴とする請求項６記載のネットワークシステム。
【請求項１２】
送信側ファクシミリ装置の発信呼が発信元情報非通知である場合に、前記送信側ファクシミリ装置から送られるＴＳＩを検出し、前記ＴＳＩに予め定められた処理を行うＴＳＩ処理手段を含んで構成されることを特徴とする終端装置。
【請求項１３】
前記予め定められた処理が、予め決められたデータでマスクし、該マスクされたＴＳＩを受信側のファクシミリ装置に送信すること特徴とする請求項１２記載の終端装置。
【請求項１４】
前記予め定められた処理が、前記ＴＳＩを受信側のファクシミリ装置に送信しないことを特徴とする請求項１２記載の終端装置。
【請求項１５】
前記ＴＳＩ処理手段が、送信側ファクシミリ装置の発信呼が発信元情報非通知である場合にのみ送信側ファクシミリ装置から送られる信号からＴＳＩを検出し前記ＴＳＩに予め定められた処理を行い処理後の前記ＴＳＩを出力し前記ＴＳＩ以外は前記送信側ファクシミリ装置から送られる前記信号を出力するＴＳＩ監視部と、前記ＴＳＩ監視部からの出力信号を前記受信側のファクシミリ装置に送信する通信制御手段を含んで構成されることを特徴とする請求項１２記載の終端装置。
【発明の詳細な説明】
【技術分野】
【０００１】
本発明は、ファクシミリ通信方法、ネットワークシステム、および終端装置に関する。特に、利用者が既存のファクシミリ装置を使用した発信元情報の非通知発信の場合、匿名性を失うことを防ぐことが出来るファクシミリ通信方法、ネットワークシステム、および終端装置に関する。
【背景技術】
【０００２】
現在発信側の電話機やファクシミリ装置の電話番号を着信側に通知するいわゆるナンバーディスプレイサービスが普及している。このサービスは、発信側利用者が特に電話番号を通知しなくても、着信側利用者で発信側の電話機やファクシミリ装置の電話番号を知ることができるものである。
【０００３】
このようなナンバーディスプレイサービスは、利用者が回線ごとに「通常通知」と「通常非通知」を選択できるようになっている。「通常通知」とは、「１８４」をつけて発信しない限り、発信側の電話機やファクシミリ装置の電話番号を着信側に通知するサービスである。また、「通常非通知」とは、「１８６」をつけて発信したときのみ、発信側の電話機やファクシミリ装置の電話番号を着信側に通知するサービスである。
【０００４】
従って、発信側の利用者が「通常通知」回線で「１８４」をつけて発信するか、「通常非通知」回線で「１８６」をつけないで発信すれば、相手側への発信元情報の非通知を実行できる。
【０００５】
一方、ファクシミリ送信の場合、Ｇ３プロトコルで定められた「送信端末識別番号」（Ｔｒａｎｓｍｉｔｔｉｎｇ  Ｓｕｂｓｃｒｉｂｅｒ  Ｉｄｅｎｔｉｆｉｃａｔｉｏｎ：ＴＳＩ）コードというものがある。このコードは、発信側と着信側のファクシミリ装置の接続のためにやりとりされる信号の１つであり、通常、発信側から着信側に送られるファクシミリ番号である。
【０００６】
従って、ファクシミリ送信の場合、発信側の利用者が上述の方法で発信元情報の非通知を選択しても、ＴＳＩにより着信側利用者に発信側ファクシミリ番号が知られ、匿名性が失われてしまう。
【０００７】
ファクシミリ送信におけるこの問題を解決するために、発信側の利用者が発信元情報の非通知を選択した場合は、発信側ファクシミリ装置でＴＳＩを着信側に送らない方法が考案されている（例えば、特許文献１参照。）。
【０００８】
【特許文献１】特開２０００−１９６８４０号公報
【発明の開示】
【発明が解決しようとする課題】
【０００９】
上述した公報発明の方法では、市場に大量に出回っている既存のファクシミリ装置をそのまま使用できないという問題がある。
【００１０】
なぜなら、発信側の利用者が発信元情報の非通知を選択した場合に、発信側ファクシミリ装置でＴＳＩを着信側に送らないようにする機能の追加が必要であるからである。
【００１１】
本発明の目的は、利用者が既存のファクシミリ装置を使用した発信元情報の非通知発信をしても、匿名性が失われることを防ぐことが出来るファクシミリ通信方法、ネットワークシステム、および終端装置を提供することにある。
【００１２】
この目的を達するために、本発明では、発信側の利用者がファクシミリ送信において発信元情報を非通知にした場合は、網制御によって着信側に発信側端末からのＴＳＩを送らないようにする仕組みを提供する。
【課題を解決するための手段】
【００１３】
この発明は、ファクシミリ装置が終端装置を介してネットワークに接続されたネットワークシステムにおけるファクシミリ通信方法において、受信側の前記終端装置は、送信側ファクシミリ装置の発信呼が発信元情報非通知である場合に、前記送信側ファクシミリ装置から送られるＴＳＩを検出し、検出された前記ＴＳＩに予め定められた処理を行うこと特徴とする。
【００１４】
ここで、前記予め定められた処理が、予め決められたデータでマスクし、該マスクされたＴＳＩを着信側のファクシミリ装置に送信する処理であっても良い。
【００１５】
また、前記予め定められた処理が、前記ＴＳＩを着信側のファクシミリ装置に送信しない処理であっても良い。
【００１６】
また、前記ネットワークがＳＩＰ網であり、前記終端装置がターミナルアダプタであっても良い。
【００１７】
また、前記ネットワークが公衆網であり、前記終端装置が交換機であっても良い。
【００１８】
他の発明は、送信側及び受信側のファクシミリ装置が終端装置を介してネットワークに接続されたネットワークシステムにおいて、受信側の前記終端装置は、送信側ファクシミリ装置の発信呼が発信元情報非通知である場合に、前記送信側ファクシミリ装置から送られるＴＳＩを検出し、前記ＴＳＩに予め定められた処理を行うＴＳＩ処理手段を含んで構成されることを特徴とする。
【００１９】
ここで、前記予め定められた処理が、予め決められたデータでマスクし、該マスクされたＴＳＩを前記受信側のファクシミリ装置に送信する処理であっても良い。
【００２０】
また、前記予め定められた処理が、前記ＴＳＩを受信側のファクシミリ装置に送信しない処理であっても良い。
【００２１】
また、前記ＴＳＩ処理手段が、送信側ファクシミリ装置の発信呼が発信元情報非通知である場合にのみ送信側ファクシミリ装置から送られる信号からＴＳＩを検出し前記ＴＳＩに予め定められた処理を行い処理後の前記ＴＳＩを出力し前記ＴＳＩ以外は前記送信側ファクシミリ装置から送られる前記信号を出力するＴＳＩ監視部と、前記ＴＳＩ監視部からの出力信号を前記受信側のファクシミリ装置に送信する通信制御手段を含んで構成されることであっても良い。
【００２２】
また、前記ネットワークがＳＩＰ網で、前記終端装置がターミナルアダプタであってもよい。
【００２３】
また、前記ネットワークが公衆網で、前記終端装置が交換機であってもよい。
【００２４】
さらに、他の発明は、終端装置であって、送信側ファクシミリ装置の発信呼が発信元情報非通知である場合に、前記送信側ファクシミリ装置から送られるＴＳＩを検出し、前記ＴＳＩに予め定められた処理を行うＴＳＩ処理手段を含んで構成されることを特徴とする。
【００２５】
ここで、前記予め定められた処理が、前記予め定められた処理が、予め決められたデータでマスクし、該マスクされたＴＳＩを受信側のファクシミリ装置に送信する処理であっても良い。
【００２６】
また、前記予め定められた処理が、前記ＴＳＩを受信側のファクシミリ装置に送信しない処理であっても良い。
【００２７】
また、前記ＴＳＩ処理手段が、送信側ファクシミリ装置の発信呼が発信元情報非通知である場合にのみ送信側ファクシミリ装置から送られる信号からＴＳＩを検出し前記ＴＳＩに予め定められた処理を行い処理後の前記ＴＳＩを出力し前記ＴＳＩ以外は前記送信側ファクシミリ装置から送られる前記信号を出力するＴＳＩ監視部と、前記ＴＳＩ監視部からの出力信号を前記受信側のファクシミリ装置に送信する通信制御手段を含んで構成されることであっても良い。
【発明の効果】
【００２８】
本発明により、利用者が既存のファクシミリ装置を使用した発呼時に発信元情報を非通知にしても、匿名性が失われることを防ぐことが出来る効果がある。
【００２９】
その理由は、発信側の利用者がファクシミリ送信時に発信元情報を非通知発信にした場合は、網制御によって着信側に発信側端末からのＴＳＩを送らないようにしたからである。
【発明を実施するための最良の形態】
【００３０】
次に、本発明を実施するための最良の形態について図面を参照して詳細に説明する。
【００３１】
図１は、本発明の一実施の形態を示すシステム構成図、図２は、図１におけるファクシミリ制御信号のシーケンス図である。さらに、図３は、図１におけるＴＡ（ターミナルアダプタ）のブロック図である。
【００３２】
図１を参照すると、本発明の一実施の形態は、送信側ファクシミリ端末１０１、送信側のＴＡ１０２、受信側のＴＡ１０３、受信側ファクシミリ端末１０４、およびＳＩＰ網１０５から構成されている。なお、ＴＡは、ターミナルアダプタの略称である。
【００３３】
送信側ファクシミリ端末１０１、受信側ファクシミリ端末１０４は、双方とも少なくともＧ３プロトコルで標準で定められているＴＳＩ送信機能を備えたファクシミリ通信装置である。
【００３４】
ＴＡ（ターミナルアダプタ）１０２、ＴＡ１０３は、一般のアナログ端末をＳＩＰ（Ｓｅｓｓｉｏｎ  Ｉｎｉｓｉａｔｉｏｎ  Ｐｒｏｔｏｃｏｌ）網０５に対して終端する装置である。ＴＡは、ファクシミリ端末間の呼接続後に、ファクシミリ端末からＳＩＰ網への信号およびＳＩＰ網からファクシミリ端末への信号を見なし音声として処理する。ＴＡ１０３は、この機能に加えて、本発明であるところの、着信側ファクシミリ端末に発信側ファクシミリ端末からのＴＳＩを送らないようにする機能を有する。
【００３５】
ＳＩＰ網１０５は、ＲＦＣ（Ｒｅｑｕｅｓｔ  Ｆｏｒ  Ｃｏｍｍｅｎｔｓ）３２６１で規定されたＳＩＰを具備した網である。ＳＩＰは、ＶｏＩＰ（Ｖｏｉｃｅ  ｏｖｅｒ  ＩＰ）の呼制御にも用いられ、インターネット電話などで利用される通話制御プロトコルである。
【００３６】
次に、ファクシミリ端末間におけるＴＡを介した呼接続フローに関しては、従来通りであり、以下のように行う。
【００３７】
（１）まず、送信側ファクシミリ端末１０１が発呼すると、送信側ＴＡ１０２はＳＩＰ網１０５に対し、ＩＮＶＩＴＥを送信する。
【００３８】
（２）受信側ＴＡ１０３は、ＩＮＶＩＴＥを受信すると、受信側ファクシミリ端末０４に着信させ、該端末が応答すると、ＳＩＰ網１０５と端末間にパスを張る。
【００３９】
（３）送信側ＴＡ１０２は、送信側ファクシミリ端末１０１とＳＩＰ網１０５間にパスを張る。
【００４０】
以上により、ファクシミリ端末間にパスが張られ、ファクシミリ端末間での信号のやりとりが可能になる。
【００４１】
上記（１）で、発信側の利用者が「通常通知」回線で「１８４」をつけて発信した呼と、「通常非通知」回線で「１８６」をつけないで発信した呼は、発信元情報の非通知呼となる。
【００４２】
送信側ＴＡ１０２は、ＳＩＰのトランザクションを始める際に送信するＩＮＶＩＴＥ信号の中で、ＦＲＯＭヘッダのｄｉｓｐｌａｙ−ｎａｍｅにヒューマンユーザインターフェースを表示することが出来る。発信元情報の非通知呼の場合、送信側ＴＡ１０２は、このヒューマンユーザインターフェースに、ａｎｏｎｙｍｏｕｓを設定する。
【００４３】
このａｎｏｎｙｍｏｕｓの設定については、ＲＦＣ３２６１で規定されており、例えば、次のようにする。
Ｆｒｏｍ：  ”１０００”  ＜ｓｉｐ：ｘｘｘ＠ａｂｃ．ｃｏｍ＞  ；ｔａｇ＝１２３
↓
Ｆｒｏｍ：  ”Ａｎｏｎｙｍｏｕｓ”  ＜ｓｉｐ：ｘｘｘ＠ａｂｃ．ｃｏｍ＞  ；ｔａｇ＝１２３
ここで、”１０００”は、ｄｉｓｐｌａｙ−ｎａｍｅの一例であり、この部分が、Ａｎｏｎｙｍｏｕｓと設定される。
【００４４】
受信側ＴＡ１０３は、ＩＮＶＩＴＥ信号のＦＲＯＭヘッダのｄｉｓｐｌａｙ−ｎａｍｅに、ａｎｏｎｙｍｏｕｓを検出すると、受信側ファクシミリ端末１０４に発信者番号を表示しないようにする。
【００４５】
図２は、本発明のＴＡを介したファクシミリ端末間におけるＧ３プロトコル交信の一例を示す図である。なお、図２のＧ３プロトコルの前には、前述したＳＩＰ網のパスが形成され、発信元情報の非通知呼によって受信側ＴＡ１０３は、ｄｉｓｐｌａｙ−ｎａｍｅから、ａｎｏｎｙｍｏｕｓを検出したものとする。
【００４６】
図２を参照すると、まず、送信側ファクシミリ端末１０１から受信側ファクシミリ端末１０４に１１００Ｈｚの呼び出し信号ＣＮＧを送信する（Ｓ１）。
【００４７】
受信側ファクシミリ端末１０４は、送信側ファクシミリ端末１０１に２１００Ｈｚの被呼端末識別信号ＣＥＤを送信する（Ｓ２）。
【００４８】
さらに受信側ファクシミリ端末１０４は、ＣＥＤに続いて被呼端末識別信号ＣＳＩ（Ｓ３）、ディジタル識別信号ＤＩＳを送信する（Ｓ４）。
【００４９】
ＣＳＩでは、送信側に受信側ファクシミリ端末１０４のＣＳＩコード（国際識別番号）を伝え、ＤＩＳでは、受信側ファクシミリ端末１０４のサポート機能を伝える。
【００５０】
送信側ファクシミリ端末１０１では、ＤＩＳを受信後、ＴＡ１０３経由で送信端末識別信号ＴＳＩを送信し（Ｓ５、Ｓ６）、ついでディジタル命令信号ＤＣＳを送信する（Ｓ７）。
【００５１】
ＴＳＩでは、受信側に送信側ファクシミリ端末１０１のＣＳＩコードを伝え、ＤＣＳでは、受信側からＤＩＳを受信後の交信条件（画像幅、圧縮モード）などを伝える。
【００５２】
また、受信側ＴＡ１０３は、Ｓ５でＴＳＩを受信時、呼が発信元情報の非通知呼であるのでＴＳＩをマスクし、Ｓ６でマスクしたＴＳＩを受信側ファクシミリ端末１０４に伝える（Ｓ６）。従って、発信元情報の非通知呼の場合は、受信側ファクシミリ端末１０４にＴＳＩが伝えられず、受信側利用者はどの送信側ファクシミリ端末１０１から送られたかを知ることは出来ない。
【００５３】
送信側ファクシミリ端末１０１では、ＤＣＳを送信後、トレーニング信号を送信する（Ｓ８）。受信側ファクシミリ端末１０４は、この信号を正常に受信できたら、送信側ファクシミリ端末１０１に受信準備確認信号ＣＦＲを送信する（Ｓ９）。
【００５４】
以降のシーケンスは、ＩＴＵ−Ｔ．３０で勧告されている既存のＧ３プロトコル交信と同じであり、本発明とは直接関係しないため、省略する。
【００５５】
尚、ＴＡ（ターミナルアダプタ）１０３は、呼接続段階で上述したようにＦＲＯＭヘッダのｄｉｓｐｌａｙ−ｎａｍｅから発信元情報の非通知呼であることを認識している。
【００５６】
次に、図３は、本発明のＴＡ（ターミナルアダプタ）の一実施の形態を示すブロック図である。
【００５７】
図３から分かるように、ＴＡ３００は、ＳＩＰインターフェース部３０１、端末インターフェース部３０２、通信制御部３０３、ＴＳＩ監視制御部３０４、ＣＥＤ判定部３０５を含んで構成される。
【００５８】
ＳＩＰインターフェース部３０１は、ＳＩＰ網との間で信号の送受信を行い、端末インターフェース部３０２は、ファクシミリ端末との間で信号の送受信を行う。
【００５９】
通信制御部３０３は、ＳＩＰ網からＩＮＶＩＴＥを受信した場合に、端末を起動し、端末とＳＩＰ網との間に呼接続を行う。この時、通信制御部３０３は、発信元情報の非通知呼であれば、ＦＲＯＭヘッダのｄｉｓｐｌａｙ−ｎａｍｅから、ａｎｏｎｙｍｏｕｓを検出する。
【００６０】
通信制御部３０３は、この時、呼が発信元情報の非通知呼である場合は、ＣＥＤ判定部３０５を起動して呼接続を行う。なお、ＴＳＩ監視制御部３０４、ＣＥＤ判定部３０５は、各々起動しない限りスルー状態であるとする。ここで、ＴＳＩ監視制御部３０４がスルー状態ということは、ＳＩＰインターフェース部３０１と通信制御部３０３がＴＳＩ監視制御部３０４を介して直結状態と同等である。また、ＣＥＤ判定部３０５がスルー状態ということは、通信制御部３０３と端末インターフェース部３０２がＣＥＤ判定部３０５を介して直結状態と同等である。また、通信制御部３０３は、呼が発信元情報の非通知呼でない場合は、ＣＥＤ判定部３０５を起動せずに呼接続を行う。
【００６１】
ＣＥＤ判定部３０５は、起動されると端末から受信される信号を通信制御部３０１に受け渡すとともに、信号がＣＥＤであるか監視する。そして、ＣＥＤ判定部３０５は、信号がＣＥＤである場合は、ＴＳＩ監視部３０４を起動した後、自身をスルー状態にする。ＣＥＤの判断としては、２１００Ｈｚ±１５Ｈｚで２．６〜４秒というＴ．３０での基準がある。
【００６２】
ＴＳＩ監視部３０４は、起動されるとＳＩＰ網から受信される信号を通信制御部３０１に受け渡すとともに、信号がＴＳＩであるか監視する。そして、ＴＳＩ監視部３０４は、信号がＴＳＩである場合は、ＴＳＩ情報をブランクでマスクして通信制御部３０３側に出力した後、自身をスルー状態にする。ＴＳＩ監視部３０４においてＴＳＩ信号を監視するには、一例としてファクシミリモデムなどを搭載してＳＩＰ網からのペイロード中のデータをモデム信号に変換して監視するなどの方法がある。
【００６３】
次に、受信側ＴＡの全体の動作フローを説明する。ここでは、呼が発信元情報の非通知呼である場合と仮定する。
【００６４】
（１）通信制御部３０３は、ＳＩＰ網からＩＮＶＩＴＥを受信した場合に、端末を起動し、端末とＳＩＰ網との間に呼接続を行う。通信制御部３０３は、この時呼が、発信元情報の非通知呼であるため、ＣＥＤ判定部３０５を起動して呼接続を行う。（発信元情報の非通知呼でない場合は、ＣＥＤ判定部３０５を起動せずに呼接続を行う。）なお、ＴＳＩ監視制御部３０４、ＣＥＤ判定部３０５は、各々起動しない限りスルー状態であるとする。
【００６５】
（２）通信制御部３０３は、呼接続後、ＣＥＤ判定部３０５を経由して、ＳＩＰ網と端末間のＧ３プロトコル交信信号のプロトコル変換を行って受け渡しを行う。
【００６６】
（３）ＣＥＤ判定部３０５は、起動されると端末から受信される信号を通信制御部３０３に受け渡すとともに、信号がＣＥＤであるか監視する。ＣＥＤ判定部３０５は、ＣＥＤを検出すると、ＴＳＩ監視部３０４を起動した後、自身をスルー状態にする。
【００６７】
ＣＥＤ判定部３０５が、ＣＥＤを検出する理由は、呼がファクシミリ通信かどうかを切り分けるためである。
【００６８】
（４）ＴＳＩ監視部３０４は、起動されるとＳＩＰ網から受信される信号を通信制御部３０３に受け渡すとともに、信号がＴＳＩであるか監視する。そして、ＴＳＩ監視部３０４は、信号がＴＳＩである場合は、ＴＳＩ情報をブランクでマスクして通信制御部３０３側に出力した後、自身をスルー状態にする。
【００６９】
（５）通信制御部３０３は、ブランクでマスクされたＴＳＩを受信側ファクシミリ端末に送信する。
【００７０】
（６）以降は、ＣＥＤ判定部３０５、ＴＳＩ監視部３０４ともにスルー状態である。この状態で、通信制御部３０３は、残りのＧ３プロトコル交信信号、および、その後の画像信号の受け渡しを行う。
【００７１】
次に、（５）におけるＴＳＩのマスク例について、以下に示す。
【００７２】
送信側からＴＳＩ２０５を受信した場合、例えば次のように送信側の情報が含まれているとする。
「  ＦＦ  ０３  ４２  ３８  ３７  ３６  ３５  ３４  ３３  ３２  ３１  ３３  ３０・・・  」
ここで、信号の形態は、ＩＴＵ−Ｔ  Ｔ．３０を参照されたいが、０ｘＦＦはアドレスフィールド、０ｘ０３はコントロールフィールド、０ｘ４２は（ＤＩＳを送信する方向の場合）、インフォメーションフィールドの中のＦＣＦ（Ｆａｃｓｉｍｉｌｅ  Ｃｏｎｔｒｏｌ  Ｆｉｅｌｄ）におけるＴＳＩを示し、これ以降にて発信側ファクシミリ番号を示す。
【００７３】
これを次のようにブランク（スペース０ｘ２０）でマスクする。
「  ＦＦ  ０３  ４２  ２０  ２０  ２０  ２０  ・・・  」  ⇒  （マスクされたＴＳＩ）
上記のようにマスクしたＴＳＩ２０６として、受信側ファクシミリ１０４へ送信する。
【００７４】
これにより、受信側ファクシミリ端末１０４では送信側ファクシミリ情報の非表示が実現される。
【００７５】
本発明の他の実施の形態として、網は、ＳＩＰ網によらずに、固定網、移動体網であっても良い。この場合、ＴＡの代わりに交換機側に通信制御部とＴＳＩ監視制御を設け、非通知情報の認識と、ＴＳＩの監視ができれば、同様にＴＳＩを制御して受信側ファクシミリ端末へ送信させることが可能である。
【００７６】
また、ＳＩＰ網において本発明ではターミナルアダプタに本機能を実現することを記載したが、ＳＩＰ網とアナログ網をインタフェースしているＶｏＩＰのゲートウェイで回線ごとに識別して適用することも可能である。
【００７７】
さらに、上述した実施の形態では、ＴＳＩ情報をブランクでマスクして端末に送信する方法を説明したが、受信側ＴＡでＴＳＩ情報を端末に送らないようにする方法であっても良い。
【図面の簡単な説明】
【００７８】
【図１】本発明の一実施の形態を示すシステム構成図である。
【図２】図１におけるファクシミリ制御信号のシーケンス図である。
【図３】図１におけるＴＡ（ターミナルアダプタ）のブロック図である。
【符号の説明】
【００７９】
１０１    送信側ファクシミリ端末
１０２、１０３、３００    ＴＡ
３０１    ＳＩＰインターフェース部
３０２    端末インターフェース部
３０３    通信制御部
３０４    ＴＳＩ監視制御部
３０５    ＣＥＤ判定部
【図１】
0004492456.tif 000002
【図２】
0004492456.tif 000003
【図３】
0004492456.tif 000004